(57)【要約】【課題】被介護者が勝手に着脱することを防止でき、且つ、介護者による着脱作業やオムツの交換作業等が容易な介護用衣服を提供する。【解決手段】本発明の介護用衣服１００は、上衣部１とズボン状の下衣部２とが一体化されたワンピースタイプのパジャマである。前身頃１１と後身頃１２は該後身頃１２の肩部に設けられたボタン１３によって連結されている。前身頃１１の左右側部と後身頃１２の左右側部の間には上衣部１の袖口から下衣部２の足首部と膝部の中間部分まで延びるスライドファスナー３１が、その開放始点が袖口側に位置するように取り付けられている。前身頃の袖口の下部にはスライドファスナーを閉じたときに開放始点に位置するファスナー開閉具３２の移動を規制するボタン３３が取り付けられている。【選択図】図１
2015063770.tif 000002
【特許請求の範囲】
【請求項１】
上衣部とズボン状の下衣部とが一体化された介護用衣服において、
肩部において分離された前身頃及び後身頃と、
前記前身頃と前記後身頃を肩部において取り外し可能に連結する連結部材と、
前記前身頃の左右側部と前記後身頃の左右側部の間に取りつけられた、前記上衣部の袖口から前記下衣部の足首部と膝部の中間部分まで延びるスライドファスナーであって、その開放始点が前記袖口側に位置するように配置されたスライドファスナーと、
前記開放始点において前記スライドファスナーの開閉具の移動を規制する規制部材と
を備えることを特徴とする介護用衣服。
【請求項２】
上衣部とズボン状の下衣部とから成る介護用衣服において、
前記下衣部の左右両側部に取り付けられた、該下衣部の上端から足首と膝部の中間部まで延びるスライドファスナーであって、その開放始点が前記下衣部の上端に位置するスライドファスナーと、
前記下衣部に設けられた、前記開放始点に位置する前記スライドファスナーの開閉具の移動を規制する規制部材と、
前記下衣部の上端部を全周にわたって覆うように前記上衣部の下部に設けられた裾部と、
前記裾部と前記下衣部の上部に設けられた、前記上衣部と前記下衣部を連結する上下連結部材と
を備えることを特徴とする介護用衣服。
【請求項３】
前記上衣部の後部の襟ぐりが前部の襟ぐりよりも大きく構成されていることを特徴とする請求項１又は２に記載の介護用衣服。
【請求項４】
前記下衣部に設けられた、前記開放始点に位置する前記スライドファスナーの開閉具及び前記規制部材を覆い隠すカバー部材を取り付けたことを特徴とする請求項１又は２に記載の介護用衣服。
【請求項５】
ズボン状の下衣部から成る介護用衣服において、
前記下衣部の両側部に取り付けられた、該下衣部の上端から足首と膝部の中間部まで延びるスライドファスナーであって、その開放始点が前記下衣部の上端に位置するスライドファスナーと、
前記開放始点において前記スライドファスナーの開閉具の移動を規制する規制部材と、
前記スライドファスナーの開閉具及び前記規制部材を覆い隠すカバー部材とを備えることを特徴とする介護用衣服。
【請求項６】
前記下衣部の股部分のうち背側内面には、防水シート、吸水性シート、及びメッシュ状シートが、外側から順に積層されていることを特徴とする請求項１〜５のいずれかに記載の介護用衣服。
【請求項７】
前記下衣部の股部分のうち腹側内面には、防水シート、吸水性シート、及びメッシュ状シートが、外側から順に積層されていることを特徴とする請求項１〜６のいずれかに記
載の介護用衣服。
【発明の詳細な説明】
【技術分野】
【０００１】
本発明は、寝たきりの患者や高齢者、認知症患者等が着用するパジャマ等の介護用衣服に関する。
【背景技術】
【０００２】
怪我や病気のために身体を自由に動かすことができない患者や、認知症患者、高齢者等、被服の着脱や用便などの行為を一人で行うことができない者を介護する者にとって、身体を拭いたり患部を手当てしたりするために被服を着脱させる作業や、オムツを交換する作業は重労働である。そこで、介護者の労力を軽減するため、様々な工夫を施した介護用パジャマが提供されている。
【０００３】
例えば特許文献１には、上衣部と下衣部（ズボン）がつながったパジャマにおいて、上衣部の前面中央に襟元から股間部にかけて延びるファスナー、及び下衣部の両脚部の内側部に股間部から両足首にかけて延びるファスナーをそれぞれ設けたものが開示されている。また、上衣と下衣に分かれたパジャマでは、上衣の前面中央に襟元から下端部にかけて延びるファスナーを設けると共に襟元から両手首にかけて延びるファスナーを設け、下衣には両側部の上端よりも少し下の部位から足首にかけて延びるファスナー、及び股間部から両足首にかけて延びるファスナーをそれぞれ設けたものが開示されている。
【０００４】
特許文献１の介護用パジャマは、身体を拭いたり患部を手当てしたりする場合は、その位置に応じた適宜のファスナーを開放すれば良く、着用者が寝たきり患者であっても容易に作業することができる。また、下衣部のファスナーを開放することにより容易にオムツを交換することができる。しかし、上記の介護用パジャマでは、上衣部や下衣部の前面にファスナーが設けられており、しかも、ファスナーを閉めたときの開放始点が襟元や足首に位置している。このため、認知症患者が着用した場合に勝手にファスナーを開けてパジャマを脱いでしまったり、パジャマの中に手を入れてオムツの中の汚物に触れてしまったりするという問題があった。
【０００５】
これに対して、特許文献２には、上衣部と下衣部（ズボン）に分かれたパジャマにおいて、上衣の前面中央に、開放始点が上衣部の下端に位置するように該上衣部の前面中央に縦ファスナーを取り付けると共に、上衣部の裾部分を下衣部の中に入れることにより前記開放始点を下衣部の中に隠すようにした介護用パジャマが提案されている。この介護用パジャマは、上衣部の裾部分を下衣部の中に入れた状態で該上衣部と該下衣部を連結する横ファスナーを備えている。この横ファスナーは開放始点が腰の左右側部よりもやや背面側に位置しており、このような構造により、被介護者が認知症患者の場合に該着用者が勝手に横ファスナーを開けたり、縦ファスナーを開けたりすることを防止している。
【先行技術文献】
【特許文献】
【０００６】
【特許文献１】特開2002-129409号公報
【特許文献２】特開2011-21306号公報
【発明の概要】
【発明が解決しようとする課題】
【０００７】
特許文献２に記載の介護用パジャマは、介護者が被介護者から脱がせるためには、横ファスナーを開けて下衣部の中から上衣部の下端部を取り出してから、縦ファスナーを開けなければならない。また、オムツを交換する際も横ファスナーを開けて上衣部から下衣部を分離した後、被介護者から下衣部を脱がせなければならず、手間がかかる。
【０００８】
本発明が解決しようとする課題は、被介護者が勝手に脱いでしまうことを防止でき、且つ、介護者による着脱作業やオムツの交換作業等が容易な介護用衣服を提供することである。
【課題を解決するための手段】
【０００９】
上記課題を解決するために成された本発明に係る介護用衣服は、上衣部とズボン状の下衣部とが一体化された衣服であって、
肩部において分離された前身頃及び後身頃と、
前記前身頃と前記後身頃を肩部において取り外し可能に連結する連結部材と、
前記前身頃の左右側部と前記後身頃の左右側部の間に取りつけられた、前記上衣部の袖口から前記下衣部の足首部と膝部の中間部分まで延びるスライドファスナーであって、その開放始点が前記袖口側に位置するように配置されたスライドファスナーと、
前記開放始点において前記スライドファスナーの開閉具の移動を規制する規制部材と
を備えることを特徴とする。
【００１０】
上記介護用衣服は上衣部と下衣部が一体となったワンピースタイプの衣服である。この介護用衣服では、連結部を外し、スライドファスナーを開放することにより着用者から脱がせたり、オムツを交換したりする作業を容易に行うことができる。スライドファスナーは、その開放始点が袖口側に位置しており、着用者の脇に隠れて見え難い。また、スライドファスナーの開閉具が開放始点に位置するとき、規制部材によって該開閉具の移動を規制することができる。このため、着用者がスライドファスナーを開けてしまうことを防止できる。
この場合、開放始点に前記スライドファスナーの開閉具及び前記規制部材を覆い隠すカバー部材を取り付けると、着用者がスライドファスナーを開けてしまうことを一層防止することができる。
【００１１】
また、上記課題を解決するために成された本発明に係る介護用衣服は、上衣部とズボン状の下衣部とから成る衣服であって、
前記下衣部の左右両側部に取り付けられた、該下衣部の上端から足首と膝部の中間部まで延びるスライドファスナーであって、その開放始点が前記下衣部の上端に位置するスライドファスナーと、
前記下衣部に設けられた、前記開放始点に位置する前記スライドファスナーの開閉具の移動を規制する規制部材と、
前記下衣部の上端部を全周にわたって覆うように前記上衣部の下部に設けられた裾部と、
前記裾部と前記下衣部の上部に設けられた、前記上衣部と前記下衣部を連結する上下連結部材と
を備えることを特徴とする。
【００１２】
上記の介護用衣服は上衣部と下衣部が分離したセパレートタイプの衣服である。この介護用衣服では、上下連結部による上衣部と下衣部の連結を解除し、下衣部の左右両側部に取り付けられたスライドファスナーを開放することにより、着用者から下衣部を脱がせたりオムツを交換したりする作業を容易に行うことができる。また、スライドファスナーの開閉具が開放始点に位置するとき、規制部材によって該開閉具の移動を規制することができる。さらに、スライドファスナーの開放始点を下衣部の上端に位置するため、スライドファスナーの開閉具が開放始点に位置するとき、下衣部の上端を覆う上衣部の裾部によって該開閉具が隠される。このため、着用者がスライドファスナーを開けてしまうことを防止できる。
【００１３】
また、上記課題を解決するために成された本発明に係る介護用衣服は、ズボン状の下衣部から成る衣服であって、
前記下衣部の左右両側部に取り付けられた、該下衣部の上端から足首と膝部の中間部まで延びるスライドファスナーであって、その開放始点が前記下衣部の上端に位置するスライドファスナーと、
前記開放始点において前記スライドファスナーの開閉具の移動を規制する規制部材と、
前記スライドファスナーの開閉具及び前記規制部材を覆い隠すカバー部材とを備えることを特徴とする。
上記の介護用衣服では、下衣部の左右両側部に取り付けられたスライドファスナーを開放することにより、着用者から下衣部を脱がせたりオムツを交換したりする作業を容易に行うことができる。また、スライドファスナーの開閉具が開放始点に位置するとき、規制部材によって該開閉具の移動を規制することができる。さらに、スライドファスナーの開閉具が開放始点に位置するとき、カバー部材によって開閉具及び規制部材を隠すことができるため、着用者がスライドファスナーを開けてしまうことを防止できる。
なお、下衣部の上端にゴム紐を入れて伸縮可能に構成すると良い。このような構成により、スライドファスナーを開放しなくても下衣部を着脱することができる。このような構成の下衣部は、例えば寝たきり状態ではない着用者が、立位や座位で下衣部を着脱する際に便利である。
【００１４】
ここで、規制部材とは、例えばスライドファスナーの開閉具に取り付けられたボタンと、上衣部の袖口下部に設けられた該ボタンに引っ掛けられるフックから構成することができる。また、スライドファスナーの開閉具が環状部を有している場合には、該環状部に取り外し可能に引っ掛けるフックや該環状部に挿入されるボタンなどから構成することができる。
【００１５】
上衣部と下衣部がつながっているワンピースタイプ、上衣部と下衣部が分かれているセパレートタイプ、及び下衣部だけのタイプのいずれの介護用衣服であっても、前記下衣部の股部分のうち背側内面に、防水シート、吸水性シート、及びメッシュ状シートが、外側から順に積層されていることが好ましい。このような構成によれば、尿漏れが生じた場合でも防水シートによって尿が外部に漏れ出すことを防止でき、しかも、吸水性シート及びメッシュ状シートによって尿漏れによる被介護者の不快感を低減することができる。
【００１６】
この場合、前記下衣部の股部分のうち腹側内面にも、防水シート、吸水性シート、及びメッシュ状シートが、外側から順に積層されていると良い。この構成は、特に着用者が男性の場合に好適である。
なお、吸水性シート、メッシュ状シートのいずれか、或いは両方を省略しても良い。少なくとも防水シートがあれば、高齢者の尿漏れ防止効果が得られる。また、防水シートに代えて防水加工や撥水加工、または吸水加工を施した布地を用いて下衣部を作製した場合も同様の尿漏れ防止効果が得られる。
【発明の効果】
【００１７】
本発明に係る介護用衣服では、上衣部と下衣部の左右両側部あるいは下衣部の左右両側部にスライドファスナーを取付け、該スライドファスナーの開放始点を上衣部の袖口側、あるいは下衣部の上端部に配置すると共に、開放始点に位置するスライドファスナーの開閉具の移動を規制する規制部材を取り付けた。そして、開放始点に位置するスライドファスナーの開閉具が着用者の脇に隠れるように、或いは、開放始点に位置するスライドファスナーの開閉具を上衣部の裾部やカバー部材で覆い隠すようにした。このため、被介護者（着用者）が勝手にスライドファスナーを開放して衣服を脱いでしまうことを防止できる。しかも、被介護者を拘束することなく衣服の脱着を防止したため、被介護者の安眠を妨げることがなく、また、不快感を激減することができるという効果も得られる。一方、上記の構成により介護者がスライドファスナーを開閉する際の手間がやや増えるものの大きな肉体的負担を強いることはなく、介護者が被介護者の身体を拭いたり、オムツを交換したりする作業を容易に行うことができる。しかも、被介護者に対する拘束感を低減したことにより、介護者の精神的負担も低減できる。
さらに、下衣部に防水シートを設けることにより、尿漏れ等により寝具等が汚れることを防止できるため、洗濯やクリーニングの回数を減らすことができ、ひいては、洗剤や洗濯水等の節約や地球資源の節約等を図ることができ、環境に優しい介護用衣服を提供することができる。
【図面の簡単な説明】
【００１８】
【図１】本発明の第１実施例に係る介護用パジャマの全体構成を示す図。
【図２】上衣部を左側後方から見た斜視図。
【図３】左側部に取り付けられたスライドファスナーの開放始点付近の拡大図を示し、カバー布で覆われた状態（ａ）、カバー布を取り除いた状態（ｂ）、ファスナーの開閉具を引き下げてカバー布をめくった状態（ｃ）を示す。
【図４】ズボン部の腰部付近の断面構造を説明するための図。
【図５】本発明の第２実施例に係る介護用パジャマの全体構成を示す図。
【図６】上衣部とズボン部を連結した状態を示す図。
【図７】ズボン部の右側部に取り付けられたスライドファスナーの開放始点付近を表面側から見た拡大図であって、カバー布のボタン穴にボタンを挿入した状態を示す図（ａ）、カバー布及び帯状部材のボタン穴にボタンを挿入していない状態を示す図（ｂ）。
【図８】ズボン部の右側部に取り付けられたスライドファスナーの開放始点付近の拡大図であって、ズボン部の裏面側から見た図。
【図９】規制部材及びカバー部材の変形例を示す図。
【発明を実施するための形態】
【００１９】
本発明の介護用衣服を介護用パジャマに適用したいくつかの実施例について図面を参照して説明する。
【実施例１】
【００２０】
図１〜図４は本発明の第１実施例の介護用パジャマを示す。この実施例の介護用パジャマ１００は上衣部１とズボン部２が一体的につながったワンピースタイプのパジャマであり、上衣部１は袖を有していない。介護用パジャマ１００は、着用者の身体の前面を覆う前身頃１１と背面を覆う後身頃１２から成り、ズボン部２の左右両脚部の内側部分及び外側部分のうち足首部から膝よりやや下の部分において前身頃１１と後身頃１２は縫い合わされている。
【００２１】
前身頃１１と後身頃１２の左右の肩部は、それぞれ３個のボタン１３により連結されている。詳しくは、後身頃１２の肩部に３個のボタン１３が一列に並んで取り付けられている。一方、前身頃１１の肩部は、後身頃１２の肩部の上に重なるように後方に延びており、この重なり部１１１に３個のボタン穴１４が一列に並んで形成されている。重なり部１１１は布地を２枚重ねた二重構造になっており、両端のボタン穴１４は２枚の布を貫通しており、中央のボタン穴１４は下側に位置する布地のみを貫通している。このため、３個のボタン穴１４にボタン１３を挿入したとき、両端の２個のボタン１３は外側から見えるが、中央のボタン１３は布に隠れて見えない。本実施例ではボタン１３及びボタン穴１４が連結部材として機能する。
【００２２】
上衣部１の首部１５は、前身頃１１の襟ぐり１５ａが浅く、後身頃１２の襟ぐり１５ｂが深くなるように構成されている。前身頃１１の襟ぐり１５ａの大きさは、着用者が前身頃側から首部１５に手を入れ難い程度の寸法に設定されている。一方、後身頃１２の襟ぐり１５ｂの大きさは、介護用パジャマ１００の中の状態（汗や尿で濡れているか否か等）を確認するために介護者が首部１５から手を入れ易い程度の寸法に設定されている。
【００２３】
ズボン部２の両脚部の下端部２２にはゴム紐が通されており、着用者の足首よりもやや大きい程度に窄まっている。従って、着用する際はゴム紐を伸ばして着用者の足首を下端部２２に挿入する。このような構成により、着用時はズボン部２の下端部２２が着用者の足首に沿うため、ズボン部２の下部がめくれ上がることが防止される。
【００２４】
前身頃１１と後身頃１２の左右の側部の間には、上衣部１の袖口１６からズボン部２の下端部２２と膝部の中間部分辺りまで延びるスライドファスナー３１が取り付けられている。スライドファスナー３１は、閉じたときにファスナー開閉具３２が位置する開放始点が袖口１６側にくるように配置されている。このようにスライドファスナー３１の下端部をズボン部２の下端部２２よりも上に配置し、ズボン部２の下部を開閉不可な筒状とした。このため、着用者の脚部の足首付近をズボン部２の下部に入れ易く、その後、スライドファスナー３１を閉じる作業も容易に行うことができる。
【００２５】
ファスナー開閉具３２にはボタン３３が取り付けられている。一方、前身頃１１及び後身頃１２の袖口１６付近の端部には、ファスナー開閉具３２のボタン３３に挿入可能なゴム製のループ３４がそれぞれ取り付けられている。ループ３４は開放始点に位置するファスナー開閉具３２のボタン３３に前後から挿入される。これにより、ファスナー開閉具３２を引き下げることができず、スライドファスナー３１が開放されることが防止される。
【００２６】
なお、ループ３４が前身頃１１のみ、あるいは後身頃１２のみに取り付けられている場合は、ループ３４をファスナー開閉具３２に挿入してもループ３４と共にファスナー開閉具３２を引き下げてスライドファスナー３１を開放することができる。これに対して、本実施例では、前身頃１１及び後身頃１２の両方にループ３４を取り付けたため、スライドファスナー３１が開放されることを確実に防止できる。
【００２７】
前身頃１１の袖口１６付近の端部には、開放始点に位置するファスナー開閉具３２及びボタン３３を覆うカバー布３５が取り付けられている。カバー布３５は、例えば半円状の布を前身頃１１の袖口１６付近の端部を挟むように前身頃１１に取り付けられた半円状の布から成り、その先端にはゴム製のループ３６が取り付けられている。なお、ファスナー開閉具３２及びボタン３３を覆うことができれば、カバー布３５は半円状でなくても良い。一方、後身頃１２の袖口付近の端部にはループ３６を引っ掛けるためのボタン３７が取り付けられている。
【００２８】
前身頃１１の股間部の内面及び後身頃１２の腰部付近の内面には、それぞれ防水材４１、４２が取り付けられている。図１に示す例では、後身頃１２にはその左右の幅と同じ幅の防水材４２を取付け、前身頃１１にはその左右幅よりも小さい幅で且つ上下の長さが防水材４１よりも短い半円状の防水材４２を取り付けているが、前身頃１１の防水材４１と後身頃１２の防水材４２を同じ大きさにしても良い。
【００２９】
防水材４１、４２は、いずれも透湿性を有する防水シート４１１、吸水性シート４１２、及びメッシュ状シート４１３を外側から順に積層した構造を有している。このような構造により、尿漏れや失禁等が起きても尿が外部に漏れ出すことを防止できる。このため、寝台（シーツ、布団等）が汚れることを防止できるため洗濯量が激減し、地球資源（洗濯に使用する水や電気等）の節約につながる。また、着用者と吸水性シート４１２の間にメッシュ状シート４１３が介在し、吸水性シート４１２が直接着用者に触れないため、吸水性シート４１２が吸水状態にあるときの不快感を低減することができる。
【００３０】
上記構成の介護用パジャマ１００を被介護者に着用させるときは次のように行う。
まず、ボタン１３をボタン穴１４から取り外し、且つ、スライドファスナー３１を開放して上衣部１の前身頃１１をズボン部２側に引き下げた状態で介護用パジャマ１００を寝台に置き、被介護者を後身頃１２の上に寝かせる。そして、被介護者の両足首をズボン部２の下端部２２に入れて、前身頃１１を被介護者の上に重ねる。その後、ボタン１３をボタン穴１４に挿入すると共に、ファスナー開閉具３２を引き上げてスライドファスナー３１を閉じる。そして、ファスナー開閉具３２のボタン３３に２本のループ３４を掛け、ボタンカバー３５でファスナー開閉具３２及びボタン３３を覆い、該ボタンカバー３５のループ３６をボタン３７に掛ける。
被介護者から介護用パジャマ１００を脱がせるときは、上記と逆の作業を行う。
【００３１】
被介護者の身体を清潔にするためにタオル等で拭く場合、或いはオムツを交換する場合は、ボタン１３をボタン穴１４から取り外し、上衣部１の前身頃１１をズボン部２側に引き下げる。場合によっては、ボタンカバー３５のループ３６をボタン３７から外してボタンカバー３５をめくり、ファスナー開閉具３２のボタン３３からループ３４を外す。そして、ファスナー開閉具３２を少し引き下げてスライドファスナー３１の一部を開放し、上衣部１及びズボン部２の一部の前身頃１１を下端部２２側に引き下げる。これにより、被介護者の身体が露出するため、被介護者の身体をタオル等で拭いたり、オムツを交換したりする作業を容易に行うことができる。
【００３２】
このように、本実施例によれば、被介護者である着用者から介護用パジャマ１００の全体或いは一部を脱がせたり着せたりする作業を容易に行うことができる。
一方、本実施例では、スライドファスナー３１を閉じたときのファスナー開閉具３２にボタン３３を取付け、このボタン３３に２本のループ３４を引っ掛けることで開閉具３２の動きを規制した。また、ボタンカバー３５により開放始点に位置するファスナー開閉具３２を覆い隠すようにした。さらに、上衣部１の肩部を３個のボタン１３で連結すると共に３個のボタンのうちの１個を隠しボタンとした。このような構成により、被介護者が勝手にスライドファスナー３１を開けたり、３個のボタン１３の全てを外したりして介護用パジャマ１００を脱いでしまうことを防止できる。しかも、被介護者自身による脱着を防止するための構造はいずれも比較的簡単な構造であり、且つ視覚的にも美観を損なわないため、多くの介護用パジャマでみられるような拘束感がない。
【実施例２】
【００３３】
図５〜図８は本発明の第２実施例に係る介護用パジャマを示している。なお、第１実施例と共通或いは類似の構成には同一の符号を付し、詳細な説明を省略する。
この第２実施例の介護用パジャマ２００は上衣部１とズボン部２が分離したセパレートタイプのパジャマである。ズボン部２の上端部には帯ゴムが挿通されており伸縮自在になっている。また、ズボン部２の左右側部には、それぞれ上端部から下端部２２と膝部分の中間付近まで延びるスライドファスナー３１が取り付けられている。スライドファスナー３１の開放始点はズボン部２の上端部に位置し、第１実施例と同様、スライドファスナー３１のファスナー開閉具３２にはボタン３３が取り付けられている。
【００３４】
ズボン部２の後身頃の上端部の左右両側部には、平ゴム製の帯状部材５１がそれぞれ取り付けられている。帯状部材５１には、横に並んだ例えば６個のボタン穴５２が形成されており、これらのうちの任意のボタン穴５２にボタン３３を挿入できるようになっている。また、ズボン部２の前身頃の左右両側部の裏面には、前記ボタン３３と同じ大きさの１個のボタン５３が取り付けられている。従って、このボタン５３は帯状部材５１のボタン穴５２に挿入可能である。さらに、ズボン部２の前身頃の左右両側部には、カバー布８０が取り付けられている。このカバー布８０には例えば２個のボタン穴８１が形成されており、このボタン穴８１に挿入されるボタン８２がズボン部２の後身頃の上端部に取り付けられている。カバー布８０はズボン部２と同じ絵柄や色の布で作製されている。本実施例では、開放始点に位置するファスナー開閉具３２のボタン３３を帯状部材５１のいずれかのボタン穴５２に挿入し、続いて帯状部材５１の別のボタン穴５２にボタン５３を挿入することにより（図７の（ｂ）参照）、ファスナー開閉具３２の移動が規制される。従って、本実施例では、ボタン３３、５３及び帯状部材５１、ボタン穴５２が規制部材として機能する。
【００３５】
上衣部１は、半袖の前開きシャツからなり、前面中央に複数のボタン５４が取り付けられている。また、上衣部１の下部の内面のうち左右両側部と前部中央の３箇所には、縦長の長方形状の布片５５がその上部において上衣部１に縫いつけられている。布片５５の自由端である下端部の内側面には上記のボタン３３と同じ大きさの１個のボタン５６が取り付けられている。一方、ズボン部２の上端部の内側面中央には、横長の長方形状のゴム片５７が縫いつけられている。ゴム片５７には、１個のボタン穴５８が形成されている。このボタン穴５８は上記のボタン穴５２と同じ大きさである。なお、ボタン穴５８は複数あっても良い。布片５５、ボタン５６、ゴム片５７、及び帯状部材５１は本発明の上下連結部材として機能する。
【００３６】
上記構成の介護用パジャマ２００を寝たきり状態の被介護者に着用させるときは、まず、上衣部１の全てのボタン５４を外して前身頃に左右に開き、且つ、ズボン部２の左右のスライドファスナー３１を開放してズボン部２の前面を引き下げた状態で寝台の上に置く。そして、これらの上に被介護者を寝かして、両腕を上衣部１の袖に通し、ボタン５４を留める。続いて、被介護者の両足首をズボン部２の下端部２２に入れて、ズボン部２の前身頃を被介護者の上に重ねる。その後、ファスナー開閉具３２を引き上げてスライドファスナー３１を閉じ、ファスナー開閉具３２のボタン３３を帯状部材５１のいずれかのボタン穴５２に嵌めると共に、別のボタン穴５２にボタン５３を嵌める。ボタン５３を嵌めるボタン穴５２の位置を変更することにより、ズボン部２の腰回り寸法を調整できる。さらに、カバー布８０のボタン穴８１にボタン８２を挿入する。
【００３７】
次に、上衣部１の下部である裾部をズボン部２の上端部の上に被せ、３個の布片５５のうち両端の布片５５のボタン５６をそれぞれ帯状部材５１のボタン穴５２に、前部中央の布片５５のボタン５６をゴム片５７のボタン穴５８に、それぞれ挿入する。このとき、ボタン３３やボタン５３が既に挿入されているボタン穴５２であっても、帯状部材５１が平ゴム製であるため、該ボタン穴５２を大きくしてボタン５６を挿入することができる（つまり、一つのボタン穴に２個以上のボタンを挿入することができる）。これにより、上衣部１とズボン部２が連結され、且つ、上衣部１の裾部によってファスナー開閉具３２及びボタン３３が隠される。このため、被介護者が上衣部１とズボン部２の連結状態を解除したり、上衣部１やズボン部２を脱いでしまったりすることを防止できる。
被介護者から介護用パジャマ１００を脱がせるときは、上記と逆の作業を行う。
なお、被介護者が寝たきり状態ではない場合は、立位又は座位で、スライドファスナー３１を開放せずに、あるいはスライドファスナ３１を途中まで開放することにより介護用パジャマ１００を着替えることができる。
【００３８】
被介護者の身体を清潔にするためにタオル等で拭く際の作業、或いはオムツを交換する際の作業は第１実施例とほぼ同じであるため、説明を省略する。
【００３９】
なお、本発明は上記した実施例に限定されるものではなく、種々の変形や拡張が可能である。
例えば、第２実施例では上衣部１とズボン部２から介護用パジャマを構成したが、上衣部１には被介護者の手持ちの服を用いても良い。この場合、手持ちの服の裾部の内面に布片５５を縫いつけると、第２実施例と同様の作用効果が得られる。また、上衣部１は、前開きに限らず、Ｔシャツなどの上から被るタイプのものでも良い。どのようなタイプの上衣部１にするかは、被介護者の症状の程度に応じて適宜選択すればよい。
さらに、上衣部１とズボン部２を連結する上下連結部材は、上記第２実施例で示したものに限らず、適宜の変更が可能である。
【００４０】
図９は、開放始点に位置するファスナー開閉具３２の移動を規制する規制部材、及び開閉具３２と規制部材を覆い隠すカバー部材の変形例を示す。この例ではファスナー開閉具３２はリング状の把持部３２ａを有しており、この把持部３２ａに挿入可能なボタン６１が後身頃１２に、該ボタン６１に掛けるループ６１ａ、ボタン６１及びファスナー開閉具３２を覆うカバー布６２がそれぞれ前身頃１１に取り付けられている。カバー布６２と上衣部１の後身頃１２にはそれぞれ面ファスナーのフック部６３ａとループ部６３ｂが取り付けられている。
【符号の説明】
【００４１】
１…上衣部
２…下衣部
１１…前身頃
１１１…重なり部
１２…後身頃
１３、３３、５３、５６、６１、８２…ボタン
１４、５２、５８、８１…ボタン穴
１５…首部
１５ａ…前身頃の襟ぐり
１５ｂ…後身頃の襟ぐり
３１…スライドファスナー
３２…ファスナー開閉具
３２ａ…把持部
３５、６２、８０…カバー布
４１、４２…防水材
４１１…防水シート
４１２…吸水性シート
４１３…メッシュ状シート
６３ａ…フック部
６３ｂ…ループ部
１００、２００…介護用パジャマ
【図１】
2015063770.tif 000003
【図２】
2015063770.tif 000004
【図３】
2015063770.tif 000005
【図４】
2015063770.tif 000006
【図５】
2015063770.tif 000007
【図６】
2015063770.tif 000008
【図７】
2015063770.tif 000009
【図８】
2015063770.tif 000010
【図９】
2015063770.tif 000011